(57)【要約】 【課題】  正しいアイポジションを確保するための機能を備えたパターヘッドを提供すること。【解決手段】  パターヘッド１に立てた垂直線に対し少なくとも１度〜４度内側に傾いた穴又はスリット２をヘッド１を貫通させて設けたことにより、このパターを構えたとき、眼の位置を、前記穴又はスリット２を通してグリーン上を直視できる位置に確保できるようにした。【選択図】図２
0003122292.tif 000002
【実用新案登録請求の範囲】
【請求項１】
パターヘッドに立てた垂直線に対し少なくとも１度〜４度内側に傾いた穴又はスリットをヘッドを貫通させて設けたことにより、このパターを構えたとき、眼の位置を、前記穴又はスリットを通してグリーン上を直視できる位置に確保できるようにしたことを特徴とするパターヘッド。
【請求項２】
パターヘッドに立てた垂直線に平行でそのヘッドを貫通する穴又はスリットを当該ヘッドの手前側に設けると共に、前記垂直線に対し少なくとも１度〜６度内側に傾き、かつ、前記ヘッドを貫通する穴又はスリットを当該ヘッドの先端側に設けることにより、このパターを構えたとき、眼の位置を、前記ヘッドの手前側と先端側に設けた穴又はスリットを通してグリーン上を直視できる位置に確保できるようにしたことを特徴とするパターヘッド。
【請求項３】
貫通する穴又はスリットは、パターヘッドのフェース面に直交させて設けた請求項１又は２のパターヘッド。
【考案の詳細な説明】
【技術分野】
【０００１】
本考案は、正しい眼の位置（眼の地面からの高さと視線の角度、以下、同じ）の確保が簡単に出来るようになり、パッティングの正しいストローク動作がしやすくなるための構造を備えたゴルフクラブ、具体的にはパターに関する。
【背景技術】
【０００２】
従来のパターには、パターの中心にマーキングを施したり、真っ直ぐバックスイングするためのデザインや形態を採り入れたパターはあったが、プレーヤーのヘッド（頭，顔）を正しい位置に誘導することを目的としたデザインや形態が付与されたパターはなかった。
【０００３】
パッティングにおいては眼の真下にボールが位置するように構えなさいと書かれたレッスン書があるが、これは初心者などを対象とした概括的な指導であり、厳密にいえば正確ではない。正確には、パッティングにおけるヘッドの軌道もウッドショットやアイアンショットと同様大きな円軌道の一部であるから、インサイドアウト軌道を描くとするのが上級者のパッティングにおけるストローク理論である。
【０００４】
この理論によれば、プレーヤの頭も眼の位置もパターヘッドに立てた垂直線より若干内側に置く必要があることになる。現に、米国のトッププロは、最近特に頭も眼もヘッドに立てた垂直線の若干内側に置いたパッティングを実行している。
【０００５】
上記のようなパッティング姿勢が必要である理由は、難度の高い超高速・超アンジュレーション形態のグリーンが出現したことによる。すなわちパッティングにおいては、ボールの位置からカップまでの遠近感、距離感、斜傾感、方向感をそのプレーヤーの立体視力によって見極める必要がある。
【０００６】
例えば、コースにおいて手前に杉の木が１本、少し先にもう１本立っているとする。このとき、手前の木はこの地点からどれ位の距離離れて立っているのか、先の木は手前の木からどの方向にどれ位の距離離れて立っているのか、木の根元の高低差はどうなのか、２本の木の高さの違いはどうなのかなどといった事柄を、いかに客観的事実に近く視覚的に認識出来るかという視力が立体視力である。
【０００７】
つまり、ゴルフコースにおける様々な立体的風景を正確に見極める視力が立体視力であり、この視力が超高速・超アンジュレーションのグリーンでは、カップインするか否かの結果を決定づけてしまうといっても過言ではない。現に、天性の立体視力を持っているといわれている代表的なプロプレーヤーが、タイガーウッズであるが、彼でさえアンジュレーション、芝目、グリーンの固さや速さ、風の影響、カップの周辺の状態など、ありとあらゆる情報を立体視力を通して収集している。グリーンを真上から見たのではそこの情報を正確に収集しきれないし、読み切れないからである。
【０００８】
従って、正確な情報収集のためには、グリーンやその回りを出来るだけアングルを付けて斜めから見たいのがプレーヤー心理である。このため、例えばタイガーウッズは限界ぎりぎり、垂直線より約4.5度傾けてアイポジションをとっているといわれている。他のトッププロの多くはもっと傾いた角度のアイポジションをとっている。しかし、垂直線から２度〜４度くらい傾いて眼の位置をクラブヘッドに立てた垂直線の内側に確保することは、角度が小さいだけに至難なことである。
【０００９】
一方、多くのアマチュアゴルファーは、無意識のうちにボールやパターヘッドの中心の真上に眼の位置を位置付けてしまうことが殆んどである。正しい眼の位置をいつもきちんと確保できるのは、アマチュアゴルファーの中のほんの僅かな数の上級者だけである。
【００１０】
パッティングにおいて、構えたときにカップにボールが入る確信がもてない、なんとなく不安だ、真っ直ぐにパターヘッドを引けないといった原因のほとんどは、正しい眼の位置が確保できていないことに起因している。正しい眼の位置を確保できていなければ、正しくてスムーズなストロークは出来ないからである。
【００１１】
上級者においても、パットが入らなくなったときやパッティングがスランプなとき、その原因のほとんどは眼の位置が正しい位置からずれていることによるといわれている。それくらいパッティングにおける正しい眼の位置の確保は大切なことである。
【００１２】
上記のようなパッティングにおける問題点に鑑み、パッティングにおいて、パターヘッドに目印機構を設けたり目印を付けたパタークラブが特許文献１，２などに提案されているが、いずれの目印、目印機構もパターヘッドに立てた垂直線と平行な視線により目印を捉えて利用するため、当該垂直線に対しわずかに内側に傾いた角度（例えば１〜４度程度）でその目印や目印機構を目視するようには作られていない。
【００１３】
先にも述べたように、正しいパッティングのストローク動作を実行するための最大のポイントはアイポジション、つまり正しい眼の位置の確保である。正しいアイポジションが確保されていなければ、スムーズかつ正確なストロークは出来ないが、正しいアイポジション、つまり、正しい眼の位置が確保できていれば、自然とスムーズなストロークが出来るのである。
【特許文献１】特開平９−３１３６５２号公報
【特許文献２】実用新案登録第３０６７６８４号公報
【考案の開示】
【考案が解決しようとする課題】
【００１４】
上述したことから判るように、パターヘッド自体に正しいアイポジション、つまり正しい眼の位置に誘導出来る機能を装備させれば、その機能を利用してスムーズなストロークが自然に出来ると考えられる。
そこで本考案では、パタークラブ自体に装備させた機能により正しい眼の位置の確保をするには、正しいアイポジションにセットできるようなマーキングをパターヘッドに施せばよいとする見地から、正しいアイポジションを確保するための機能を備えたパターヘッドを提供することを課題としている。
【課題を解決するための手段】
【００１５】
上記課題を解決することを目的としてなされた本考案パターヘッドの第一の構成は、パターヘッドに立てた垂直線に対し少なくとも１度〜４度内側に傾いた穴又はスリットをヘッドを貫通させて設けたことにより、このパターを構えたとき、眼の位置を、前記穴又はスリットを通してグリーン上を直視できる位置に確保できるようにしたことを特徴とするものである。
【考案の効果】
【００１６】
本考案によれば、パターヘッドに設けた穴又はスリットを通してグリーン上が直視できる姿勢でパッティングの構えをしたとき、常に正しいアイポジションを確保することが出来ることによって、カップまでの遠近感、距離感、斜傾感、方向感を見抜くことが可能になる立体視力を発揮させることができる。この結果、カップまでのアンジュレーション、芝目、グリーンの固さや速さ、風の影響、カップの周辺の状態などの様々な情報を向上した立体視力を通して収集出来る。これによりただ漫然とパッティングしていた従来のパッティングとは決定的に異なる好結果を得ることができる。
【００１７】
すなわち、正しいアイポジション、つまり正しい眼の位置を、パターヘッドに設けた傾いた貫通穴又はスリットを通してグリーン上を直視するだけで簡単に確保することができるので、自然に正しくスムーズなパッティングストロークを実行することが出来る。
【考案を実施するための最良の形態】
【００１８】
次に、本考案の実施の形態の例について、図により説明する。図１は本考案パターヘッドの一例の平面図、図２は図１のＡ−Ａ´線断面図、図３は第二例の平面図、図４は図３のＢ−Ｂ´線断面図である。
【００１９】
（実施例１）
図１，図２に示した実施例１では、パターヘッド１のほぼセンターであってフェース面1aと直交する向きで、当該ヘッド１の上面から底面に抜けたスリット状のスロット２（又は溝２）を約３度だけ内側（プレーヤー側）に傾けて設けたものである。ヘッド１の上面から見てそのスロット２を通して下のグリーン面が全部見通せる眼の位置になれば、自然と正しいアイポジションになる。なお、スロット２の傾き角は１〜４度、或は、１〜６度の範囲が、標準体形のプレーヤに合ったものであるから、プレーヤの体形、特に身長によっては１度より小さい傾き、又は、６度よりも大きい傾きのスロット２（又は溝穴２）もあり得る。また、貫通したスロット２（又は溝穴２）は、必ずしもヘッド１のセンター（中心）に設けなくてもよく、更に、フェース面1aに対しほぼ直交していれば足りる。
このパターンヘッド１を備えたパタークラブを使用すると、正しいアイポジション、つまり正しい眼の位置を確保出来るので、常に理想的なアドレスの姿勢をつくることができ、スムーズなストロークが自然と出来るようになる。
【００２０】
（実施例２）
実施例１のパターヘッド１では、垂直線に対して一定の傾き（図１，図２では手前側に約３度の傾き）を持つヘッドを貫通したスロット２を設けてプレーヤーの眼が内側に簡単に位置することができるようになっている。しかし、アマチュアレベルでは眼の高さはパッティングごとに変わってしまうことが多い。構えが固まっている上級者なら問題ないが、一般のアマチュアでも眼の高さはすべてのパッティングで一定にすることが望ましい。
そこで、図３，図４に示す実施例２では、パターヘッド１の手前側のヒール寄りに、地面に垂直で傾きを付けないスロット３（又は溝穴３）を設けた。また、パターヘッド１の先端側のトゥ寄りに約６度の内側に向いた（手前側に傾いた）傾きを付けてスロット４（又は溝穴４）を設けた。手前のスロット３を真上から見てそのスロット３を通して地面を全部見通すことができ、かつ、先端側のスロット４を通して地面を全部見通せる高さに眼がくれば、自然と傾きも高さも正しいアイポジションになる。なお、上記スロット４の傾きも１〜６度の範囲より小さい場合、と大きい場合があり得るのは、実施例１と同旨である。
【産業上の利用可能性】
【００２１】
本考案は以上の通りであって、パターヘッドに立てた垂直線に対し少なくとも１度乃至１度〜４度内側に傾いた穴又はスリットをヘッドを貫通させて設けたことにより、このパターを構えたとき、眼の位置を、前記穴又はスリットを通してグリーン上を直視できる位置に確保できるようにしたから、プレーヤーの眼を容易に自然と正しいアイポジションに位置付けることができ、従って、正しいスムーズなストロークを早く身に付けることができてパッティングの上達を大幅に早めることが可能になる。
【図面の簡単な説明】
【００２２】
【図１】実施例１のパターヘッドの平面図。
【図２】図１のパターヘッドのＡ−Ａ´線断面図。
【図３】実施例２のパターヘッドの平面図。
【図４】図２のパターヘッドのＢ−Ｂ´線断面図。
【符号の説明】
【００２３】
１    パターヘッド
1a    フェース面
２    センターラインとしての傾斜スロット(又は溝穴)
３    ヒール（手前）寄りのスロット(又は溝穴)
４    トゥ（先端）寄りの傾斜スロット(又は溝穴)
【図１】
0003122292.tif 000003
【図２】
0003122292.tif 000004
【図３】
0003122292.tif 000005
【図４】
0003122292.tif 000006